(57)【要約】  本発明の空気調和機１は、筐体２の内部に相互に並列に配置された、熱交換器４で熱交換された空気を室内に吹き出すための複数のダクト５１、５２と、回転軸６１ｂ、６２ｂ及び回転軸６１ｂ、６２ｂの一端を固定する本体部６１ａ、６２ａをそれぞれ有し、回転軸６１ｂ、６２ｂが複数のダクト５１、５２の長手方向に対し垂直方向に交互に逆向きとなるように配置され、本体部６１ａ、６２ａが複数のダクト５１、５２の間に、複数のダクト５１、５２の長手方向に対し並行に配列された複数のモータ６１、６２と、複数のダクト５１、５２の内部にそれぞれ少なくとも１つ配置された、複数のモータ６１、６２でそれぞれ駆動される複数の遠心ファン７１、７２と、複数のダクト５１、５２の間を並行に延在し、複数のモータ６１、６２の本体部６１ａ、６２ａを回転軸６１ｂ、６２ｂの逆側でそれぞれ固定する複数のモータ支持部８１を有する仕切部材８とを備える。
2016121071.tif 000002
【特許請求の範囲】
【請求項１】
筐体と、
前記筐体の内部に配置され、前記筐体の内部に吸い込まれた空気との熱交換を行う熱交換器と、
前記筐体の内部に相互に並列に配置され、前記熱交換器で熱交換された前記空気を室内に吹き出す複数のダクトと、
回転軸及び回転軸の一端を固定する本体部をそれぞれ有し、前記回転軸が前記複数のダクトの長手方向に対し垂直方向に交互に逆向きとなるように配置され、前記本体部が前記複数のダクトの間に、前記複数のダクトの長手方向に対し並行に配列された複数のモータと、
前記複数のダクトの内部にそれぞれ少なくとも１つ配置された、前記複数のモータでそれぞれ駆動される複数の遠心ファンと、
前記複数のダクトの間を並行に延在し、前記複数のモータの前記本体部を前記回転軸の逆側でそれぞれ固定する複数のモータ支持部、及び隣り合った前記複数のモータ支持部を連結する１以上の連結部を有する仕切部材と
を備える空気調和機。
【請求項２】
前記複数の遠心ファンが、それぞれ別個の前記モータで駆動される請求項１に記載の空気調和機。
【請求項３】
前記複数の遠心ファンは、シロッコファン又はターボファンである請求項１又は２に記載の空気調和機。
【請求項４】
前記複数の遠心ファンのファン径は同一である請求項１〜３のいずれか１項に記載の空気調和機。
【請求項５】
前記複数のモータは同一のものである請求項１〜４のいずれか１項に記載の空気調和機。
【発明の詳細な説明】
【技術分野】
【０００１】
本発明は、空気調和機に関する。
【背景技術】
【０００２】
従来の空気調和機としては、同一方向に指向した２つの風路を設けて小型化を図ったものが知られている（例えば、特許文献１、２）。
【先行技術文献】
【特許文献】
【０００３】
【特許文献１】実公昭６１−１２９２号公報
【特許文献２】特開２０１２−１７９４１号公報
【発明の概要】
【発明が解決しようとする課題】
【０００４】
しかしながら、特許文献１、２に記載のような空気調和機では、各々の風路に配置されたファン及びモータが高さ方向に並列となるように配列され、ファンが同一方向に向くように配置されている。また、特許文献１、２に記載のような空気調和機では、一方のファンが空気の流れ方向に対し、他方のファンの後方に位置している。よって、特許文献１、２に記載のような空気調和機では、２つのファンの後流側の風路が重なっているため、空気の流れが急に縮小したり、空気が壁面に衝突したりすることがあり、風路による圧力損失が増大するという問題があった。【０００５】
本発明は、上述の問題を解決するためになされたものであり、風路の圧力損失が低減でき、かつ、小型化が可能な空気調和機を提供することを目的とする。
【課題を解決するための手段】
【０００６】
本発明の空気調和機は、筐体と、前記筐体の内部に配置され、前記筐体の内部に吸い込まれた空気との熱交換を行う熱交換器と、前記筐体の内部に相互に並列に配置され、前記熱交換器で熱交換された前記空気を室内に吹き出す複数のダクトと、回転軸及び回転軸の一端を固定する本体部をそれぞれ有し、前記回転軸が前記複数のダクトの長手方向に対し垂直方向に交互に逆向きとなるように配置され、前記本体部が前記複数のダクトの間に、前記複数のダクトの長手方向に対し並行に配列された複数のモータと、前記複数のダクトの内部にそれぞれ少なくとも１つ配置された、前記複数のモータでそれぞれ駆動される複数の遠心ファンと、前記複数のダクトの間を並行に延在し、前記複数のモータの前記本体部を前記回転軸の逆側でそれぞれ固定する複数のモータ支持部、及び隣り合った前記複数のモータ支持部を連結する１以上の連結部を有する仕切部材とを備える。
【発明の効果】
【０００７】
本発明によれば、複数のダクトに連通する風路が相互に干渉せず、空気の流れを妨害することがないため、風路の圧力損失を低減することができる。また、本発明によれば、モータの本体部が複数のダクトの間に配置されるため、空気調和機を小型化できる。
【図面の簡単な説明】
【０００８】
【図１】本発明の実施の形態１に係る空気調和機１の一例を示す概略的な断面図である。
【図２】従来の空気調和機１の一例を示す概略的な断面図である。
【図３】本発明の実施の形態２に係る空気調和機１の一例を示す概略的な断面図である。
【発明を実施するための形態】
【０００９】
実施の形態１．
本発明の実施の形態１に係る空気調和機１について説明する。図１は、本実施の形態１の空気調和機１の一例を示す概略的な断面図である。なお、図１を含む以下の図面では各構成部材の寸法の関係及び形状が、実際のものとは異なる場合がある。また、以下の図面では、同一の又は類似する部材又は部分には、同一の符号を付すか、又は符号を付すことを省略している。
【００１０】
本実施の形態１に係る空気調和機１は、図１に示すように縦置型のものであり、空気調和機１の下方から室内の空気を吸い込んで、熱交換された空気を上方から吹き出すものである。図１の空気調和機１は、筐体２と、吸い込みグリル３と、熱交換器４と、第１のダクト５１と、第２のダクト５２と、第１のモータ６１と、第２のモータ６２と、第１の遠心ファン７１と、第２の遠心ファン７２と、仕切部材８を備えている。
【００１１】
筐体２は、中空の箱体であり、例えば亜鉛めっき鋼板製の箱体であってもよい。吸い込みグリル３は、筐体２の内部に室内の空気を吸い込むために、筐体２の少なくとも１つの面に配置されたものであり、例えば矩形状の吸気口３１を複数有している。吸い込みグリル３は、筐体２と一体に形成されたものであってもよいし、筐体２に着脱可能なものであってもよい。また、吸い込みグリル３は、塵埃を取り除くためのエアフィルタ（図示せず）が取り付けられたものであってもよい。
【００１２】
熱交換器４は、筐体２の内部に配置されており、吸い込みグリル３から吸い込まれた空気との熱交換を行うことにより、湿度又は温度を調整するものである。例えば、熱交換器４では、熱交換器４の内部を流れる水もしくは冷媒と空気との間で熱交換が行われる。
【００１３】
第１のダクト５１及び第２のダクト５２は、筐体２の内部に配置された、熱交換器４で熱交換された空気を室内に吹き出す管である。第１のダクト５１及び第２のダクト５２の断面形状は、例えば、矩形、円形、又は楕円形であってもよい。第１のダクト５１及び第２のダクト５２は、一方の端部を筐体２の内面に固定し、筐体２における第１のダクト５１及び第２のダクト５２の固定面に排気口を設けることにより、筐体２の内部と外部とを連通させるものである。また、第１のダクト５１及び第２のダクト５２は、第１のダクト５１及び第２のダクト５２に平行な筐体２の内側面から一定の距離を置いて配置される。本実施の形態１においては、第１のダクト５１及び第２のダクト５２は、筐体２の上部に固定されており、高さ方向に向けて並列に配置されている。また、第１のダクト５１の固定部には第１の吹き出し口５１ａが設けられており、第２のダクト５２の固定部には第２の吹き出し口５２ａが設けられている。なお、第１のダクト５１及び第２のダクト５２は、例えば亜鉛めっき鋼板製の管にできる。
【００１４】
第１のモータ６１は、回転軸６１ｂが第１のダクト５１の長手方向に対し垂直方向となり、回転軸６１ｂの先端部分が第１のダクト５１の内部に配置される。回転軸６１ｂの末端部分は、第１のモータ６１の本体部６１ａに固定される。第２のモータ６２は、回転軸６２ｂが第２のダクト５２の長手方向に対し垂直方向となり、回転軸６２ｂの先端部分が第２のダクト５２の内部に配置される。回転軸６２ｂの末端部分は、第２のモータ６２の本体部６２ａに固定される。すなわち、第２のモータ６２の回転軸６２ｂの向きは、第１のモータ６１の回転軸６１ｂの向きと交互に逆向きとなるように配置される。第１のモータ６１の本体部６１ａ及び第２のモータ６２の本体部６２ａは、第１のダクト５１と第２のダクト５２との間に、第１のダクト５１及び第２のダクト５２の長手方向に対し並行に配列される。本実施の形態１においては、第１のモータ６１の本体部６１ａが、第２のモータ６２の本体部６２ａよりも上方に配置されているが、第２のモータ６２の本体部６２ａが、第１のモータ６１の本体部６１ａよりも上方に配置されていてもよい。また、第１のモータ６１及び第２のモータ６２は同一のものであってもよく、例えば、誘導モータ又はＤＣブラシレスモータであってもよい。
【００１５】
第１の遠心ファン７１及び第２の遠心ファン７２は、回転軸方向から吸入した空気を遠心方向に押し出す送風機である。第１の遠心ファン７１は第１のダクト５１の内部に配置され、第１のモータ６１によって駆動される。第１の遠心ファン７１の回転軸は第１のモータ６１の回転軸６１ｂの先端部分に固定される。第２の遠心ファン７２は第２のダクト５２の内部に配置され、第２のモータ６２によって駆動される。第２の遠心ファン７２の回転軸は、第２のモータ６２の回転軸６２ｂの先端部分に固定される。すなわち、第１の遠心ファン７１は第２の遠心ファン７２の上方に配置されており、第１の遠心ファン７１及び第２の遠心ファン７２は、互いに回転軸方向において重ならないように間隔を置いて配置されている。また、第１の遠心ファン７１及び第２の遠心ファン７２の取り付け方向は、互いに逆向きとなっており、第１の遠心ファン７１の回転軸及び第２の遠心ファン７２の回転軸は、互いに平行となるように配置されている。
【００１６】
第１の遠心ファン７１の空気吸入側の片側面又は両側面は、第１のダクト５１の内側面に固定されている。第１のダクト５１には、第１の遠心ファン７１の空気吸入口に対向する位置に吸入口（図示せず）が更に設けられている。第２の遠心ファン７２は、第２のダクト５２の内側面に空気吸入側の片側面又は両側面が固定されている。第２のダクト５２には、第２の遠心ファン７２の空気吸入口に対向する位置に吸入口（図示せず）が更に設けられている。
【００１７】
第１の遠心ファン７１及び第２の遠心ファン７２は、シロッコファン又はターボファンであってもよい。また、第１の遠心ファン７１及び第２の遠心ファン７２のファン径は、同一であってもよい。
【００１８】
仕切部材８は、第１のダクト５１と第２のダクト５２との間に配置されている。仕切部材８は、第１のダクト５１と第２のダクト５２との間を並行に延在し、第１のモータ６１の本体部６１ａを回転軸６１ｂの逆側で固定する平板状のモータ支持部８１を有する。第２のモータ６２の本体部６２ａも同様に、第１のダクト５１と第２のダクト５２との間を並行に延在する別個のモータ支持部８１に、第２のモータ６２の回転軸６２ｂの逆側で固定されている。仕切部材８は更に、複数の隣り合ったモータ支持部８１を連結する平板状の連結部８２を有している。仕切部材８は交互に段差を有する単一の板状部材としてもよいし、モータ支持部８１及び連結部８２を別個の板状部材とし、ろう付け等により連結したものであってもよい。仕切部材８は、少なくとも一辺がろう付け等により筐体２の内部に固定される。仕切部材８は、例えば亜鉛めっき鋼板製であってもよい。
【００１９】
本実施の形態１に係る空気調和機１では、第１のダクト５１が、第１のダクト５１に平行な筐体２の内側面から一定の距離を置いて配置されることにより、第１のダクト５１と筐体２の内側面との間の空間の一部が、第１のダクト５１内に空気を吸い込むための第１の筐体側風路９１となる。また、第２のダクト５２が、第２のダクト５２に平行な筐体２の内側面から一定の距離を置いて配置されることにより、第２のダクト５２と筐体２の内側面との間の空間の一部が、第２のダクト５２内に空気を吸い込むための第２の筐体側風路９２となる。
【００２０】
更に、本実施の形態１に係る空気調和機１では、仕切部材８を備えることにより、第１のダクト５１を有する空間と、第２のダクト５２を有する空間とが仕切られており、互いに干渉しない独立した風路となっている。これによって、本実施の形態１に係る空気調和機１では、第１のダクト５１と第１のモータ６１の本体部６１ａとの間の空間が、第１のダクト５１内に空気を吸い込むための第１のモータ側風路９３となっている。また、第２のダクト５２と第２のモータ６２の本体部６２ａとの間の空間が、第２のダクト５２内に空気を吸い込むための第２のモータ側風路９４となっている。
【００２１】
次に、本実施の形態１に係る空気調和機１の動作について説明する。図１では、第１のダクト５１及び第２のダクト５２における空気の流れを白矢印で示している。
【００２２】
第１の遠心ファン７１及び第２の遠心ファン７２の回転により、室内の空気は吸い込みグリル３を介して筐体２の内部に吸い込まれる。吸い込まれた空気は、熱交換器４で熱交換され、仕切部材８によって第１のダクト５１の方向と第２のダクト５２の方向に分流される。第１のダクト５１の方向に分流された空気は、第１の筐体側風路９１及び第１のモータ側風路９３に流入し、第１の遠心ファン７１によって第１のダクト５１の内部に第１のダクト５１の吸入口（図示せず）を介して吸い込まれる。第１のダクト５１の内部に吸い込まれた空気は、第１の遠心ファン７１によって遠心方向に押し出され、第１の吹き出し口５１ａから室内に吹き出される。また、第２のダクト５２の方向に分流された空気は、第２の筐体側風路９２及び第２のモータ側風路９４に流入し、第２の遠心ファン７２によって第２のダクト５２の内部に第２のダクト５２の吸入口（図示せず）を介して吸い込まれる。第２のダクト５２の内部に吸い込まれた空気は、第２の遠心ファン７２によって遠心方向に押し出され、第２の吹き出し口５２ａから室内に吹き出される。
【００２３】
以上に説明したとおり、本実施の形態１に係る空気調和機１では、第１のモータ６１の本体部６１ａ及び第２のモータ６２の本体部６２ａが、第１のダクト５１と第２のダクト５２との間に、第１のダクト５１及び第２のダクト５２の長手方向に対し並行に配列されている。また、本実施の形態１に係る空気調和機では、第１のモータ６１の回転軸６１ｂ及び第２のモータ６２の回転軸６２ｂが、第１のダクト５１及び第２のダクト５２に対し垂直方向に交互に逆向きに延在するようにそれぞれ配置されている。更に、本実施の形態１に係る空気調和機１では、仕切部材８が、第１のダクト５１と第２のダクト５２との間を並行に延在し、第１のモータ６１の本体部６１ａと第２のモータ６２の本体部６２ａとを回転軸６１ｂ、６２ｂの逆側でそれぞれ固定する複数（本実施の形態１においては、２つ）のモータ支持部８１、及び隣り合った複数のモータ支持部８１を連結する（本実施の形態１においては、１つの）連結部８２を有している。
【００２４】
本実施の形態１によれば、第１のモータ６１の本体部６１ａ及び第２のモータ６２の本体部６２ａを固定する仕切部材８によって、第１のダクト５１を有する空間と、第２のダクト５２を有する空間とが仕切られており、互いに干渉しない独立した風路となるため、風路の圧力損失を低減することができる。したがって、本実施の形態１によれば、第１の遠心ファン７１及び第２の遠心ファン７２の効率を上げることができるため、第１のモータ６１及び第２のモータ６２の消費電力を抑えることができる。結果、第１のモータ６１及び第２のモータ６２のエネルギー消費量を低減することができ、第１のモータ６１及び第２のモータ６２の長期使用が可能となる。
【００２５】
また、本実施の形態１によれば、空気調和機１の小型化を図ることができる。このことを、図１及び図２を用いて以下に説明する。なお、図２の白矢印は空気の流れを表している。
【００２６】
図２は、従来の空気調和機１の一例を示す概略的な断面図である。図２では、第１のモータ６１及び第２のモータ６２が高さ方向に同一の位置に配置され、同一の方向を向くように横方向に並列に配置されている。すなわち、図２の第１のモータ６１及び第２のモータ６２は、本実施の形態１の空気調和機１のように第１のダクト５１と第２のダクト５２との間に、第１のダクト５１と第２のダクト５２の長手方向に対し並行に配列されていない。また、第１の遠心ファン７１及び第２の遠心ファン７２は高さ方向に同一の位置に横方向に並列に配置されている。更に、第１のモータ６１は第１のダクト５１と第２のダクト５２との間に設けられたＬ字型の仕切部材８に固定されており、第２のモータ６２は筐体２の内側面に固定されている。
【００２７】
以降の説明では、第１の筐体側風路９１、第２の筐体側風路９２、第１のモータ側風路９３、及び第２のモータ側風路９４の幅は、同一の最短幅Ａであるものとする。第１のモータ６１及び第２のモータ６２は同一種類のものであるものとし、第１のモータ６１の本体部６１ａ及び第２のモータ６２の本体部６２ａの回転軸方向の幅は、同一のモータ幅Ｂであるものとする。第１のダクト５１及び第２のダクト５２の断面幅は、同一の断面幅Ｃであるものとする。第１の遠心ファン７１及び第２の遠心ファン７２のファン径は同一のファン径Ｄであるものとする。
【００２８】
ここで、第１の筐体側風路９１、第２の筐体側風路９２、第１のモータ側風路９３、及び第２のモータ側風路９４は、第１の遠心ファン７１及び第２の遠心ファン７２が空気を吸い込むために、最短幅Ａが、ファン径Ｄの１／２以上、すなわち、Ａ≧Ｄ／２となるように設ける必要がある。
【００２９】
図２に示した従来の空気調和機１の場合、筐体２の幅は４Ａ＋２Ｂ＋２Ｃとなる。これに対して、図１で示した本実施の形態１の空気調和機１の場合、筐体２の幅は４Ａ＋Ｂ＋２Ｃとなり、モータ幅Ｂの分だけ筐体２を小さく構成できる。
【００３０】
以上のとおり、本実施の形態１によれば、第１の遠心ファン７１及び第２の遠心ファン７２が空気を吸い込むための風路を確保しつつ、空気調和機１の小型化を図ることができる。
【００３１】
また、第１のモータ６１及び第２のモータ６２は同一種類かつ同一幅のものとすれば、製造時のコストを削減することができる。製造時のコストの削減は、第１の遠心ファン７１及び第２の遠心ファン７２のファン径を同一とすることによっても達成される。
【００３２】
実施の形態２．
本発明の実施の形態２に係る空気調和機１について図３を用いて説明する。図３の白矢印は空気の流れを表している。
【００３３】
図３は、本実施の形態２に係る空気調和機１の一例を示す概略的な断面図である。本発明の実施の形態２に係る空気調和機１では、上述の実施の形態１の第１のモータ６１の本体部６１ａ及び第２のモータ６２の本体部６２ａと同様に、第３のモータ６３の本体部６３ａ及び第４のモータ６４の本体部６４ａが、第１のダクト５１と第２のダクト５２との間に、第１のダクト５１及び第２のダクト５２の長手方向に対し並行に配置されている。また、上述の実施の形態１の第１のモータ６１の回転軸６１ｂ及び第２のモータ６２の回転軸６２ｂと同様に、第３のモータ６３の回転軸６３ｂ及び第４のモータ６４の回転軸６４ｂが、第１のダクト５１及び第２のダクト５２に対し垂直方向に交互に逆向きとなるように配置されている。
【００３４】
また、本発明の実施の形態２に係る空気調和機１では、第１の遠心ファン７１に加えて、第３のモータ６３によって駆動される第３の遠心ファン７３が、第１のダクト５１の内部に配置されている。第３の遠心ファン７３の回転軸は第３のモータ６３の回転軸６３ｂの先端部分に固定される。第３の遠心ファン７３の空気吸入側の片側面又は両側面は、第１のダクト５１の内側面に固定されている。第１のダクト５１には、第３の遠心ファン７３の空気吸入口に対向する位置に吸入口（図示せず）が更に設けられている。
第１のダクト５１には、第１の遠心ファン７１の空気吸入口に対向する位置に吸入口（図示せず）が更に設けられている。
【００３５】
また、本発明の実施の形態２に係る空気調和機１では、第２の遠心ファン７２に加えて、第４のモータ６４によって駆動される第４の遠心ファン７４が、第２のダクト５２の内部に配置されている。第４の遠心ファン７４の回転軸は、第４のモータ６４の回転軸６４ｂの先端部分に固定される。第４の遠心ファン７４の空気吸入側の片側面又は両側面は、第２のダクト５２の内側面に固定されている。第２のダクト５２には、第４の遠心ファン７４の空気吸入口に対向する位置に吸入口（図示せず）が更に設けられている。
【００３６】
更に、本発明の実施の形態２に係る空気調和機１では、第３のモータ６３の本体部６３ａは、第１のダクト５１と第２のダクト５２との間を並行に延在するモータ支持部８１に、第３のモータ６３の回転軸６３ｂの逆側で固定されている。また、第４のモータ６４の本体部６４ａは、第１のダクト５１と第２のダクト５２との間を並行に延在する別個のモータ支持部８１に、第４のモータ６４の回転軸６４ｂの逆側で固定されている。その他の空気調和機１の構造は、上述の実施の形態１のものと同一であるため説明は省略する。
【００３７】
本実施の形態２の空気調和機１では、遠心ファン及びモータを複数個配置することによって、個々の遠心ファン及びモータの性能を小さくしても空気調和機１の性能を維持することができる。したがって、本実施の形態２の空気調和機１では、遠心ファンのファン径Ｄとモータ幅Ｂとを小さくすることができ、風路の最短幅Ａを小さくできるため、筐体２を小型化することが可能となる。
【００３８】
その他の実施の形態．
上述の実施の形態に限らず種々の変形が可能である。例えば、上述の実施の形態の空気調和機１は縦置型の空気調和機としたが、これに限定されず天井埋込型の空気調和機等であってもよい。
【００３９】
また、上述の実施の形態の空気調和機１は、例えば、ファンコイル式の空気調和機、空気清浄機、除湿器、加湿器、冷房機、暖房機、あるいはこれらの機能を複数備えた装置としてもよい。
【００４０】
また、上述の実施の形態では、１つのモータで１つの遠心ファンを駆動する構成としたが、同一のダクト内にある２以上の遠心ファンを単一のモータで駆動できるように構成してもよい。
【００４１】
また、上述の実施の形態では２つのダクトを、高さ方向に向けて並列に配置されたものとしたが、３つ以上のダクトを任意の方向に並列に配置するものであってもよい。また、上述の実施の形態では、吹き出し口の位置を上方としたが、空気調和機の形態に応じて任意の位置に変更してもよい。
【００４２】
また、上述の実施の形態は互いに組み合わせて用いることが可能である。
【符号の説明】
【００４３】
１  空気調和機、２  筐体、３  吸い込みグリル、４  熱交換器、８  仕切部材、３１  吸気口、５１  第１のダクト、５１ａ  第１の吹き出し口、５２  第２のダクト、５２ａ  第２の吹き出し口、６１  第１のモータ、６２  第２のモータ、６３  第３のモータ、６４  第４のモータ、６１ａ、６２ａ、６３ａ、６４ａ  本体部、６１ｂ、６２ｂ、６３ｂ、６４ｂ  回転軸、７１  第１の遠心ファン、７２  第２の遠心ファン、７３  第３の遠心ファン、７４  第４の遠心ファン、８１  モータ支持部、８２  連結部、９１  第１の筐体側風路、９２  第２の筐体側風路、９３  第１のモータ側風路、９４  第２のモータ側風路。
【図１】
2016121071.tif 000003
【図２】
2016121071.tif 000004
【図３】
2016121071.tif 000005
【手続補正書】
【提出日】平成29年4月11日(2017.4.11)
【手続補正１】
【補正対象書類名】明細書
【補正対象項目名】０００６
【補正方法】変更
【補正の内容】
【０００６】
本発明の空気調和機は、筐体と、前記筐体の内部に配置され、前記筐体の内部に吸い込まれた空気との熱交換を行う熱交換器と、前記筐体の内部に相互に並列に配置され、前記熱交換器で熱交換された前記空気を室内に吹き出す複数のダクトと、回転軸及び前記回転軸の一端を固定する本体部をそれぞれ有し、前記回転軸が前記空気の吹き出し方向に対し、垂直方向に交互に逆向きとなるように前記複数のダクトに配置され、前記本体部が前記複数のダクトの間に、前記空気の吹き出し方向に対し並行に配列された複数のモータと、前記複数のダクトの内部にそれぞれ少なくとも１つ配置された、前記複数のモータでそれぞれ駆動される複数の遠心ファンと、前記複数のダクトの間を並行に延在し、前記複数のモータの前記本体部を前記回転軸の逆側でそれぞれ固定する複数のモータ支持部、及び隣り合った前記複数のモータ支持部を連結する１以上の連結部を有する仕切部材とを備える。
【手続補正２】
【補正対象書類名】特許請求の範囲
【補正対象項目名】全文
【補正方法】変更
【補正の内容】
【特許請求の範囲】
【請求項１】
筐体と、
前記筐体の内部に配置され、前記筐体の内部に吸い込まれた空気との熱交換を行う熱交換器と、
前記筐体の内部に相互に並列に配置され、前記熱交換器で熱交換された前記空気を室内に吹き出す複数のダクトと、
回転軸及び前記回転軸の一端を固定する本体部をそれぞれ有し、前記回転軸が前記空気の吹き出し方向に対し、垂直方向に交互に逆向きとなるように前記複数のダクトに配置され、前記本体部が前記複数のダクトの間に、前記空気の吹き出し方向に対し並行に配列された複数のモータと、
前記複数のダクトの内部にそれぞれ少なくとも１つ配置された、前記複数のモータでそれぞれ駆動される複数の遠心ファンと、
前記複数のダクトの間を並行に延在し、前記複数のモータの前記本体部を前記回転軸の逆側でそれぞれ固定する複数のモータ支持部、及び隣り合った前記複数のモータ支持部を連結する１以上の連結部を有する仕切部材と
を備える空気調和機。
【請求項２】
前記複数の遠心ファンが、それぞれ別個の前記モータで駆動される請求項１に記載の空気調和機。
【請求項３】
前記複数の遠心ファンは、シロッコファン又はターボファンである請求項１又は２に記載の空気調和機。
【請求項４】
前記複数の遠心ファンのファン径は同一である請求項１〜３のいずれか１項に記載の空気調和機。
【請求項５】
前記複数のモータは同一のものである請求項１〜４のいずれか１項に記載の空気調和機。
【国際調査報告】
2016121071.tif 000006
2016121071.tif 000007
2016121071.tif 000008
2016121071.tif 000009